(57)【要約】【課題】  記録速度の変化に拘わらず、常に映像の確認作業に適切な速度で映像の再生を行なうことが出来る映像再生装置を提供する。【解決手段】  本発明に係る映像再生装置においては、再生中に再生された映像信号の記録速度に変化があったか否かが監視され、記録速度に変化があったときに、記録速度に対する再生速度の倍率が変更される。【選択図】      図５
2006221724.tif 000002
【特許請求の範囲】
【請求項１】
記録媒体に記録されている映像信号を再生する再生手段と、
再生中に、再生された映像信号の記録速度に変化があったか否かの判断を行なう判断手段と、
記録速度に変化があったと判断されたとき、記録速度に対する再生速度の倍率を変更する倍率変更動作を実行する速度制御手段
とを具えていることを特徴とする映像再生装置。
【請求項２】
記録媒体には映像信号と共に記録速度情報が記録されており、前記判断手段は、記録媒体から読み出されて再生された記録速度情報に基づいて前記判断を行なう請求項１に記載の映像再生装置。
【請求項３】
前記速度制御手段は、記録速度に変化があったと判断されたとき、記録速度に対する再生速度の倍率を所定値に設定する倍率変更動作を実行する請求項１又は請求項２に記載の映像再生装置。
【請求項４】
前記速度制御手段は、記録速度に変化があったと判断されたとき、記録速度に対する再生速度の倍率を該再生速度が所定速度に設定されることとなる値に変更する倍率変更動作を実行する請求項１又は請求項２に記載の映像再生装置。
【請求項５】
前記判断手段は、記録速度の変化量が閾値を上回っているか否かを判断する手段を具え、前記速度制御手段は、記録速度に変化があったと判断され、且つその変化量が閾値を上回っていると判断された場合に前記倍率変更動作を実行する請求項１乃至請求項４の何れかに記載の映像再生装置。
【請求項６】
前記速度制御手段は、
記録速度が上昇したと判断されたとき、記録速度に対する再生速度の倍率が１よりも大きい早送り再生中であるか否かを判断し、早送り再生中である場合に前記倍率変更動作を実行する第１変更手段と、
記録速度が低下したと判断されたとき、記録速度に対する再生速度の倍率が１よりも小さいスロー再生中であるか否かを判断し、スロー再生中である場合に前記倍率変更動作を実行する第２変更手段
とを具えている請求項３又は請求項４に記載の映像再生装置。
【請求項７】
前記判断手段は、記録速度の上昇量或いは低下量が閾値を上回っているか否かを判断する手段を具え、前記速度制御手段の第１変更手段は、記録速度が上昇したと判断され、且つその上昇量が閾値を上回っていると判断された場合に前記倍率変更動作を実行し、第２変更手段は、記録速度が低下したと判断され、且つその低下量が閾値を上回っていると判断された場合に前記倍率変更動作を実行する請求項６に記載の映像再生装置。
【発明の詳細な説明】
【技術分野】
【０００１】
本発明は、記録速度に対する再生速度の倍率を変更することが出来る映像再生装置に関するものである。
【背景技術】
【０００２】
従来、監視カメラによって撮影された映像の記録及び再生を行なう監視用の映像記録再生装置として、記録速度の変更が可能な映像記録再生装置が知られている(例えば、特許文献１参照)。
この種の映像記録再生装置においては、例えば、予め設定された記録速度で記録動作が開始され、その後、監視エリア内で異常事態が発生してアラーム信号が入力されたときには、自動的に記録速度が高められて記録動作が継続される。従って、記録媒体には記録速度の異なる映像が記録されることになる。
【０００３】
その後、上述の如く記録媒体に記録した映像をモニタ装置に表示して該映像の確認作業が行なわれるのであるが、通常再生を行なった場合には、その確認作業に記録時間と同じだけの長い時間がかかることになる。例えば、図１０(ａ)に示す如く１０秒に１画の速度で映像が記録された後に０.２秒に１画の速度で映像が記録された記録媒体を対象として通常再生を行なった場合には、同図(ｂ)の如く１０秒に１画の速度で画像表示が行なわれた後、記録速度が０.２秒に１画の速度に変化した時点から０.２秒に１画の速度で画像表示が行なわれることとなり、記録時間が６時間である場合には、確認作業に６時間と長い時間がかかることになる。
０.１〜０.２秒に１画の速度で画像表示が行なわれれば、映像の確認作業を行なうことが出来る。そこで、記録速度が低い場合には、早送り再生を実行させて確認作業が行なわれている。
一方、記録速度が高いために通常再生によっては画像表示の切り替わり速度が速く、映像を詳細に確認することが出来ない場合には、スロー再生を実行させて確認作業が行なわれている。
【０００４】
【特許文献１】特開２００１−１４３３８８号公報[G11B 20/10]
【発明の開示】
【発明が解決しようとする課題】
【０００５】
しかしながら、従来の映像記録再生装置においては、早送り再生動作が開始された後は、記録速度の変化に拘わらず、その動作が維持されていたため、早送り再生中に記録速度が速くなった場合、その速度によっては画像表示の切り替わり速度が速くなり過ぎて映像の確認作業が困難となる問題があった。例えば、図１０(ａ)に示す記録速度で映像の記録が行なわれた記録媒体を対象として記録速度の１０倍の速度で早送り再生を行なった場合には、同図(ｃ)の如く、１秒に１画の速度で画像表示が行なわれた後、記録速度が０.２秒に１画の速度に変化した時点から０.０２秒に１画の高い速度で画像表示が行なわれることになる。
又、スロー再生動作が開始された後においても、記録速度の変化に拘わらず、その動作が維持されていたため、スロー再生中に記録速度が遅くなった場合、その速度によっては画像表示の切り替わり速度が遅くなり過ぎる問題があった。例えば０.２秒に１画の速度で映像の記録が行なわれた後に１０秒に１画の速度で映像の記録が行なわれた記録媒体を対象としてスロー再生を行なった場合には、２秒に１画の速度で画像表示が行なわれた後、記録速度が１０秒に１画の速度に変化した時点から１００秒に１画と極めて低い速度で画像表示が行なわれることになる。
そこで本発明の目的は、記録速度の変化に拘わらず、常に映像の確認作業に適切な速度で映像の再生を行なうことが出来る映像再生装置を提供することである。
【課題を解決するための手段】
【０００６】
本発明に係る映像再生装置は、
記録媒体に記録されている映像信号を再生する再生手段と、
再生中に、再生された映像信号の記録速度に変化があったか否かの判断を行なう判断手段と、
記録速度に変化があったと判断されたとき、記録速度に対する再生速度の倍率を変更する倍率変更動作を実行する速度制御手段
とを具えている。
【０００７】
例えば、記録媒体には映像信号と共に記録速度情報が記録されており、前記判断手段は、記録媒体から読み出されて再生された記録速度情報に基づいて前記判断を行なう。
【０００８】
具体的には、前記速度制御手段は、記録速度に変化があったと判断されたとき、記録速度に対する再生速度の倍率を所定値に設定する倍率変更動作を実行する。
上記具体的構成においては、記録速度に変化があったとき、前記倍率が例えば１の値に設定されて、記録速度と同じ速度で再生が行なわれる。
【０００９】
或いは、前記速度制御手段は、記録速度に変化があったと判断されたとき、記録速度に対する再生速度の倍率を該再生速度が所定速度に設定されることとなる値に変更する倍率変更動作を実行する。
上述の如く、０.１〜０.２秒に１画の速度で画像表示が行なわれれば、映像の確認作業を行なうことが出来る。そこで、上記具体的構成においては、記録速度に変化があったとき、前記倍率が、例えば再生速度が０.１〜０.２秒に１画の速度に設定されることとなる値に設定されて、該速度で再生が行なわれる。
【００１０】
又、具体的には、前記判断手段は、記録速度の変化量が閾値を上回っているか否かを判断する手段を具え、前記速度制御手段は、記録速度に変化があったと判断され、且つその変化量が閾値を上回っていると判断された場合に前記倍率変更動作を実行する。
【００１１】
上記具体的構成においては、記録速度の変化量が閾値を上回っている場合に限って上記倍率変更動作を実行させることによって、記録速度に対する再生速度の倍率が頻繁に変更されることを防止することが出来る。
【００１２】
又、具体的には、前記速度制御手段は、
記録速度が上昇したと判断されたとき、記録速度に対する再生速度の倍率が１よりも大きい早送り再生中であるか否かを判断し、早送り再生中である場合に前記倍率変更動作を実行する第１変更手段と、
記録速度が低下したと判断されたとき、記録速度に対する再生速度の倍率が１よりも小さいスロー再生中であるか否かを判断し、スロー再生中である場合に前記倍率変更動作を実行する第２変更手段
とを具えている。
【００１３】
上述の如く、記録速度が低い場合には、映像の確認作業にかかる時間を短縮すべく早送り再生を実行させる。従って、仮に、早送り再生中に記録速度が低下した場合に、例えば早送り再生を通常再生に切り換えることはユーザの意図に反することになる。
一方、記録速度が高い場合には、映像を詳細に確認すべくスロー再生を実行させる。従って、仮に、スロー再生中に記録速度が上昇した場合に、スロー再生を通常再生に切り換えることはユーザの意図に反することになる。
そこで、上記具体的構成においては、記録速度が上昇した場合には、早送り再生中である場合に限って上記倍率変更動作を実行させ、記録速度が低下した場合には、スロー再生中である場合に限って上記倍率変更動作を実行させる。
【００１４】
更に具体的には、前記判断手段は、記録速度の上昇量或いは低下量が閾値を上回っているか否かを判断する手段を具え、前記速度制御手段の第１変更手段は、記録速度が上昇したと判断され、且つその上昇量が閾値を上回っていると判断された場合に前記倍率変更動作を実行し、第２変更手段は、記録速度が低下したと判断され、且つその低下量が閾値を上回っていると判断された場合に前記倍率変更動作を実行する。
【００１５】
上記具体的構成においては、記録速度の上昇量或いは低下量が閾値を上回っている場合に限って上記倍率変更動作を実行させることによって、記録速度に対する再生速度の倍率が頻繁に変更されることを防止することが出来る。
【発明の効果】
【００１６】
本発明に係る映像再生装置によれば、記録速度の変化に拘わらず、常に映像の確認作業に適切な速度で映像の再生を行なうことが出来る。
【発明を実施するための最良の形態】
【００１７】
以下、本発明を、監視カメラによって撮影された映像の記録及び再生が可能なハードディスクレコーダに実施した形態につき、図面に沿って具体的に説明する。
本発明に係るハードディスクレコーダ(１)は、図１に示す如く、直方体の筐体(10)を具え、該筐体(10)の前面には、種々の情報を入力するための入力装置(11)が配備されている。該入力装置(11)は、再生を開始させる際に操作すべき再生ボタン及び録画を開始させる際に操作すべき録画ボタンを含む操作ボタン群(11a)と、記録速度に対する再生速度の倍率を変更する際に操作すべきジョグダイヤルキー(11b)とを具えている。正方向への再生時には、該ジョグダイヤルキー(11b)を右方向に回すことによって前記倍率を増大させることが出来、左方向に回すことによって前記倍率を減小させることが出来る。一方、逆方向への再生時には、該ジョグダイヤルキー(11b)を左方向に回すことによって前記倍率を増大させることが出来、右方向に回すことによって前記倍率を減小させることが出来る。
【００１８】
図２は、上記ハードディスクレコーダ(１)の電気的構成を表わしており、該レコーダ(１)には、ハードディスクを駆動するハードディスクドライブ(ＨＤＤ)装置(12)が装備されている。
ＨＤＤ装置(12)は、ＩＤＥインターフェース(13)を介して第１バス(22)に接続されており、該バス(22)には、ＪＰＥＧ方式による圧縮伸長処理等の信号処理を行なう信号処理回路(14)、監視カメラ(３)を接続するための入力インターフェース(15)、及びモニタ装置(４)を接続するための出力インターフェース(16)が接続されている。又、該バス(22)には、ＳＤＲＡＭコントローラ(17)を介して、信号処理時に用いられるＳＤＲＡＭ(18)が接続されている。
前記ＳＤＲＡＭコントローラ(17)は、第２バス(23)に接続されており、該バス(23)には、種々の情報を格納するためのフラッシュメモリ(19)、６０Ｈｚの同期信号を発生する同期信号発生回路(20)、上記の入力装置(11)、及び所定の制御動作を実行するＣＰＵ(21)が接続されている。
【００１９】
該ハードディスクレコーダ(１)においては、上記ジョグダイヤルキー(11b)を操作して記録速度を所望の速度に設定した後、操作ボタン群(11a)に含まれる録画ボタンを押下すると、該速度で記録動作が開始される。その後、監視エリア内で異常事態が発生してアラーム信号が入力されたときには、自動的に記録速度が高められて記録動作が継続される。
記録時においては、監視カメラ(３)から得られるＮＴＳＣ方式の映像信号が入力インターフェース(15)に供給されてデジタルの画像データに変換され、該画像データが、同期信号に基づきジョグダイヤルキー(11b)の回転位置に応じた記録速度(取込み周期)でＳＤＲＡＭ(18)に格納される。例えば、記録速度が１／１５秒に１画の速度である場合には、４画に１画の割合で画像データが格納される。ＳＤＲＡＭ(18)に格納された画像データは、信号処理回路(14)に供給されてＪＰＥＧ方式により圧縮され、これによって得られる圧縮画像データに記録レート情報rec_rateが重畳されて複合映像データが作成される。この様にして作成された複合映像データがＨＤＤ装置(12)に記録される。前記記録レート情報rec_rateは、同期信号がｎ回発生する度に１枚の画像の画像データをＳＤＲＡＭ(18)に取り込んだ場合にｎの値をとり、例えば、記録速度が１／６０秒に１画の速度である場合には“１”の値、１／１５秒に１画の速度である場合には“４”の値をとる。
【００２０】
上述の如くＨＤＤ装置(12)に映像が記録された後、操作ボタン群(11a)に含まれる再生ボタンを押下すると、通常再生が開始され、その後、ジョグダイヤルキー(11b)を操作して記録速度に対する再生速度の倍率を変更すると、早送り再生、或いはスロー再生が行なわれる。
再生時においては、ＨＤＤ装置(12)から読み出された複合映像データは、一旦、ＳＤＲＡＭ(18)に格納され、後述の如く、同期信号に基づきジョグダイヤルキー(11b)の回転位置に応じた再生速度で読み出されて信号処理回路(14)に供給され、伸長される。信号処理回路(14)から得られる画像データは、出力インターフェース(16)に供給されてアナログの画像信号に変換され、該画像信号がモニタ装置(４)に出力される。
【００２１】
図３及び図４は、上記ハードディスクレコーダ(１)の再生時に実行される具体的手続きを表わしており、先ずステップＳ１にて、再生キーの押下に待機し、ユーザにより再生キーが押下されると、その時点でステップＳ２に移行して、ＨＤＤ装置(12)から複数画像分の複合映像データをＳＤＲＡＭ(18)に読み出す。ここで、複合映像データの読出しは、再生せんとする複合映像データの記録開始位置、或いはユーザにより指定された位置から行なわれる。
【００２２】
続いてステップＳ３では、ＳＤＲＡＭ(18)に格納されている複合映像データから先頭画像の記録レート情報rec_rateを抽出して、該記録レート情報を現在の記録レート情報now_rec_rateとして設定すると共に、“０”の値を過去の記録レート情報pre_rec_rateとして設定した後、ステップＳ４では、同期信号発生回路(20)から同期信号が発生したか否かを判断する。ここで、上述の如く同期信号の周波数は６０Ｈｚであるので、１／６０秒に１回、イエスと判断されることになる。
ステップＳ４にてイエスと判断されると、ステップＳ５に移行して、同期カウンタのカウンタ変数ｎを１だけカウントアップした後、ステップＳ６では、ＨＤＤ装置(12)から次の複数画像分の複合映像データをＳＤＲＡＭ(18)に読み出す。
【００２３】
次にステップＳ７では、記録速度に対する再生速度の倍率を表わす倍率変数bairitsuを上記ジョグダイヤルキー(11b)の回転位置に応じた値に設定した後、ステップＳ８では倍率変数の調整処理を実行し、更にステップＳ９では、現在の記録レート情報now_rec_rateの調整処理を実行する。尚、ステップＳ８の倍率変数調整処理及びステップＳ９の記録レート情報調整処理については後述する。
【００２４】
続いて図４のステップＳ１０では、現在の記録レート情報now_rec_rateを倍率変数bairitsuで除算した値(now_rec_rate／bairitsu)を“１”の値と比較し、現在の記録レート情報を倍率変数で除算した値が“１”である場合には、ステップＳ１１に移行して、１枚後ろの画像を次の出力画像として選択した後、ステップＳ１５に移行する。この場合、後述の如く１／６０秒に１画の速度で再生が行なわれることになる。
これに対し、現在の記録レート情報を倍率変数で除算した値が“１”よりも小さい場合には、ステップＳ１２に移行して、該除算値の逆数を画像飛ばし変数tobashiとして設定し、続いてステップＳ１３にて、画像飛ばし変数だけ後ろの画像を次の出力画像として選択した後、ステップＳ１５に移行する。この場合、画像飛ばし変数に応じた数だけ画像を飛ばすことによって、１／６０秒に１画の速度よりも高速度で再生が行なわれることになる。
又、現在の記録レート情報を倍率変数で除算した値が“１”よりも大きい場合には、ステップＳ１４に移行して、同期カウンタのカウンタ変数ｎが該除算値よりも大きいか否かを判断し、ノーと判断された場合には図３のステップＳ４に戻る。その後、同期カウンタのカウンタ変数ｎが前記除算値を上回ると、ステップＳ１４にてイエスと判断されてステップＳ１１に移行し、１枚後ろの画像を次の出力画像として選択した後、ステップＳ１５に移行する。この場合、同期カウンタのカウンタ変数ｎが前記除算値を上回るまでステップＳ４乃至ステップＳ１０及びステップＳ１４の手続きを繰り返すことによって、１／６０秒に１画の速度よりも低速度で再生が行なわれることになる。
【００２５】
ステップＳ１５では、現在の記録レート情報now_rec_rateを過去の記録レート情報pre_rec_rateとして設定し、次にステップＳ１６では、ＳＤＲＡＭ(18)に格納されている複合映像データから上述の如く選択された次の画像の記録レート情報rec_rateを抽出して、該記録レート情報を現在の記録レート情報now_rec_rateとして設定する。続いてステップＳ１７では、前記選択された次の画像の圧縮画像データを伸長してモニタ装置(４)に出力し、最後にステップＳ１８では、同期カウンタのカウンタ変数ｎを０にリセットして図３のステップＳ４に戻り、上記手続きを繰り返す。その後、ユーザにより停止ボタンが押下された時点、或いはＨＤＤ装置(12)に記録されている複合映像データが最後まで再生された時点で上記手続きを終了する。
上記手続きによれば、倍率変数bairitsuが１である場合には、記録速度と同じ速度で通常再生が行なわれ、倍率変数が１よりも大きい場合には、記録速度よりも高速度で早送り再生が行なわれ、倍率変数が１よりも小さい場合には、記録速度よりも低速度でスロー再生が行なわれることになる。
【００２６】
例えば、記録速度が１／３０秒に１画の速度であって、倍率変数が１である場合には、ステップＳ１４にて同期カウンタのカウンタ変数ｎが２を上回った時点でイエスと判断されてステップＳ１１に移行し、１枚後ろの画像が次の出力画像として選択されてステップＳ１７にてモニタ装置に出力される。この様にして、記録速度と同じ速度で通常再生が行なわれる。
又、記録速度が１／３０秒に１画の速度であって、倍率変数が６である場合には、ステップＳ１２にて画像飛ばし変数tobashiとして３の値が算出され、ステップＳ１３にて３枚後ろの画像が次の出力画像として選択されてステップＳ１７にてモニタ装置に出力される。この様にして、記録速度の６倍の速度で早送り再生が行なわれる。
更に、記録速度が１／３０秒に１画の速度であって、倍率変数が１／２である場合には、ステップＳ１１にて１枚後ろの画像が次の出力画像として選択されてステップＳ１７にてモニタ装置に出力される。この様にして、記録速度の１／２倍の速度でスロー再生が行なわれる。
【００２７】
図３に示すステップＳ８の倍率変数調整処理においては、先ず、図５のステップＳ２１にて、過去の記録レート情報pre_rec_rateと現在の記録レート情報now_rec_rateとを比較し、両記録レート情報が一致する場合には、手続きを終了して図３のステップＳ９に移行する。
【００２８】
これに対し、現在の記録レート情報now_rec_rateが過去の記録レート情報pre_rec_rateよりも小さい場合には、ステップＳ２２に移行して、閾値thresholdを取得する。ここで、閾値としては、所定値、或いは記録レート情報を変数とする関数式を用いて現在或いは過去の記録レート情報から算出した値を採用することが出来る。その後、ステップＳ２３では、過去の記録レート情報pre_rec_rateから現在の記録レート情報now_rec_rateを減算した値が前記閾値を上回るか否かを判断し、ノーと判断された場合は、手続きを終了して図３のステップＳ９に移行する一方、イエスと判断された場合には、ステップＳ２４に移行して、倍率変数bairitsuが１よりも大きいか否かを判断し、ノーと判断された場合は、手続きを終了して図３のステップＳ９に移行する。一方、倍率変数bairitsuが１よりも大きい場合には、ステップＳ２５に移行して、倍率変数bairitsuを１に設定した後、図３のステップＳ９に移行する。
【００２９】
又、現在の記録レート情報now_rec_rateが過去の記録レート情報pre_rec_rateよりも大きい場合には、ステップＳ２６に移行して、閾値thresholdを取得する。ここで、閾値としては、所定値、或いは記録レート情報を変数とする関数式を用いて現在或いは過去の記録レート情報から算出した値を採用することが出来る。その後、ステップＳ２７では、現在の記録レート情報now_rec_rateから過去の記録レート情報pre_rec_rateを減算した値が前記閾値を上回るか否かを判断し、ノーと判断された場合は、手続きを終了して図３のステップＳ９に移行する一方、イエスと判断された場合には、ステップＳ２８に移行して、倍率変数bairitsuが１よりも小さいか否かを判断し、ノーと判断された場合は、手続きを終了して図３のステップＳ９に移行する。一方、倍率変数bairitsuが１よりも小さい場合には、ステップＳ２９に移行して、倍率変数bairitsuを１に設定した後、図３のステップＳ９に移行する。
【００３０】
上記手続きによれば、記録速度が速くなって現在の記録レート情報now_rec_rateが過去の記録レート情報pre_rec_rateよりも小さくなり、その差が閾値を上回った場合であって、且つ倍率変数bairitsuが１よりも大きい早送り再生が行なわれている場合には、倍率変数bairitsuが１に設定される。この結果、早送り再生が通常再生に切り替わることになる。
又、記録速度が遅くなって現在の記録レート情報now_rec_rateが過去の記録レート情報pre_rec_rateよりも大きくなり、その差が閾値を上回った場合であって、且つ倍率変数bairitsuが１よりも小さいスロー再生が行なわれている場合には、倍率変数bairitsuが１に設定される。この結果、スロー再生が通常再生に切り替わることになる。
【００３１】
図３に示すステップＳ９の記録レート情報調整処理においては、先ず、図６のステップＳ３１にて自動調整モードがオンに設定されているか否かを判断し、ノーと判断された場合は、何ら手続きを実行せずに図４のステップＳ１０に移行する一方、イエスと判断された場合には、ステップＳ３２にて図７に示す記録レート情報変更処理を実行した後、図４のステップＳ１０に移行する。
該記録レート情報変更処理においては、先ずステップＳ４１にて、現在の記録レート情報now_rec_rateが３０よりも小さいか否かを判断し、３０よりも小さい場合には、ステップＳ４２にて該記録レート情報を３０に設定して、手続きを終了する。
現在の記録レート情報now_rec_rateが３０よりも大きい場合には、ステップＳ４３に移行して、該記録レート情報が６０よりも小さいか否かを判断し、６０よりも小さい場合には、ステップＳ４４にて該記録レート情報を６０に設定して、手続きを終了する。
現在の記録レート情報now_rec_rateが６０よりも大きい場合には、ステップＳ４５に移行して、該記録レート情報が１２０よりも小さいか否かを判断し、１２０よりも小さい場合には、ステップＳ４６にて該記録レート情報を１２０に設定して、手続きを終了する。
現在の記録レート情報now_rec_rateが１２０よりも大きい場合には、ステップＳ４７にて該記録レート情報を２４０に設定して、手続きを終了する。
上記手続きによれば、現在の記録レート情報now_rec_rateが、３０、６０、１２０及び２４０の何れかの値に設定されることになる。
【００３２】
ユーザは、ＨＤＤ装置(12)に記録されている映像を確認する際、通常再生を開始させた後、モニタ装置(４)に表示された映像を見ながらジョグダイヤルキー(11b)を操作して再生速度を調整するのであるが、高速度で記録された映像の通常再生を行なった場合には、記録速度と同じ高速度で画像表示が切り替わることになるため、映像を詳細に確認することが出来ない。そこで、上記手続きによって、現在の記録レート情報now_rec_rateが３０よりも小さい場合には該記録レート情報を３０に設定する。これによって、０.５秒に１画の速度よりも高速度で記録された映像を０.５秒に１画の速度で表示することが出来る。
一方、低速度で記録された映像の通常再生を行なった場合には、記録速度と同じ低速度で画像表示が切り替わることになるため、無駄に長い時間が費やされることになる。そこで、上記手続きによって、現在の記録レート情報now_rec_rateが１２０よりも大きい場合には該記録レート情報を２４０に設定する。これによって、４秒に１画の速度よりも低速度で記録された映像を４秒に１画の速度で表示することが出来る。
【００３３】
本発明に係るハードディスクレコーダ(１)においては、上述の如く、早送り再生中に記録速度が上昇し、その上昇量が閾値を上回った場合には、その時点で早送り再生が通常再生に切り替わる。又、スロー再生中に記録速度が低下し、その低下量が閾値を上回った場合には、その時点でスロー再生から通常再生に切り替わる。該ハードディスクレコーダ(１)によれば、この様にして、記録速度の変化に拘わらず、常に映像の確認作業に適切な速度で映像を再生することが出来る。
【００３４】
例えば、図１０(ａ)に示す如く１０秒に１画の速度で映像が記録された後に０.２秒に１画の速度で映像が記録された記録媒体を対象として記録速度の１０倍の速度で早送り再生を行なった場合には、同図(ｄ)の如く１秒に１画の速度で画像表示が行なわれた後、記録速度が０.２秒に１画の速度に変化した時点で通常再生に切り替わって０.２秒に１画の速度で画像表示が行なわれることになる。
【００３５】
尚、本発明の各部構成は上記実施の形態に限らず、特許請求の範囲に記載の技術的範囲内で種々の変形が可能である。
例えば、図３に示すステップＳ８の倍率変数調整処理の具体的手続きとして、図５に示す手続きに代えて、図８或いは図９に示す手続きを採用することが可能である。
図８に示す倍率変数調整処理においては、先ずステップＳ５１にて、現在の記録レート情報now_rec_rateが過去の記録レート情報pre_rec_rateと一致するか否かを判断し、イエスと判断された場合は手続きを終了する一方、ノーと判断された場合には、ステップＳ５２にて倍率変数bairitsuを１に設定して、手続きを終了する。
【００３６】
一方、図９に示す倍率変数調整処理においては、先ずステップＳ６１にて、現在の記録レート情報now_rec_rateと過去の記録レート情報pre_rec_rateを比較し、両記録レート情報が一致する場合には手続きを終了する。
これに対し、現在の記録レート情報now_rec_rateが過去の記録レート情報pre_rec_rateよりも小さい場合には、ステップＳ６２に移行して、倍率変数bairitsuが１よりも大きいか否かを判断し、ノーと判断された場合は、手続きを終了する一方、倍率変数bairitsuが１よりも大きい場合には、ステップＳ６３に移行して、倍率変数bairitsuを１に設定した後、手続きを終了する。
又、現在の記録レート情報now_rec_rateが過去の記録レート情報pre_rec_rateよりも大きい場合には、ステップＳ６４に移行して、倍率変数bairitsuが１よりも小さいか否かを判断し、ノーと判断された場合は、手続きを終了する一方、倍率変数bairitsuが１よりも小さい場合には、ステップＳ６５に移行して、倍率変数bairitsuを１に設定した後、手続きを終了する。
【００３７】
又、上記実施の形態においては、図５に示す如く早送り再生中に記録速度が速くなった場合、及びスロー再生中に記録速度が遅くなった場合に、倍率変数bairitsuを１に設定しているが、再生速度が所定速度、例えば０.１〜０.２秒に１画の速度に設定されることとなる値に設定することも可能である。
更に、ジョグダイヤルキー(11b)に対する操作に応じて記録速度に対する再生速度の倍率を変更しているが、“＋”ボタン及び“−”ボタンを配備して、これらのボタンに対する操作に応じて前記倍率を変更する構成を採用することも可能である。
【図面の簡単な説明】
【００３８】
【図１】本発明を実施したハードディスクレコーダの正面図である。
【図２】上記ハードディスクレコーダの構成を表わすブロック図である。
【図３】上記ハードディスクレコーダの再生時に実行される具体的手続きの前半を表わすフローチャートである。
【図４】上記手続きの後半を表わすフローチャートである。
【図５】倍率変数調整処理の具体的手続きを表わすフローチャートである。
【図６】記録レート情報調整処理の手続きを表わすフローチャートである。
【図７】記録レート情報調整処理の具体的手続きを表わすフローチャートである。
【図８】他の実施例における倍率変数調整処理の具体的手続きを表わすフローチャートである。
【図９】更に他の実施例における倍率変数調整処理の具体的手続きを表わすフローチャートである。
【図１０】従来の問題点と本発明の効果を表わす図である。
【符号の説明】
【００３９】
(１)  ハードディスクレコーダ
(11)  入力装置
(12)  ＨＤＤ装置
(21)  ＣＰＵ
(３)  監視カメラ
(４)  モニタ装置
【図１】
2006221724.tif 000003
【図２】
2006221724.tif 000004
【図３】
2006221724.tif 000005
【図４】
2006221724.tif 000006
【図５】
2006221724.tif 000007
【図６】
2006221724.tif 000008
【図７】
2006221724.tif 000009
【図８】
2006221724.tif 000010
【図９】
2006221724.tif 000011
【図１０】
2006221724.tif 000012